(57)【特許請求の範囲】
【請求項１】
無線通信システムにおける基地局の動作方法であって、
ソフトコンバイニングを支援するレインジングコード情報を伝送する過程と、
端末から前記レインジングコードを受信する過程と、
前記端末からレインジング要請信号を伝送するための資源割当情報を含む第１資源割当メッセージを前記端末に伝送する過程と、
前記レインジング要請信号が受信されない場合、前記端末から前記レインジング要請信号を再伝送するための資源割当情報を含む第２資源割当メッセージを前記端末に伝送する過程と、を含む方法。
【請求項２】
前記レインジング要請信号は、レインジング要請メッセージを含む
ことを特徴とする請求項１に記載の方法。
【請求項３】
前記第１資源割当メッセージ及び前記第２資源割当メッセージは、フレームインデックス、レインジングコード、レインジングシンボル及びレインジングサブチャネルのうち少なくとも一つを含む
ことを特徴とする請求項１に記載の方法。
【請求項４】
前記第１資源割当メッセージ及び前記第２資源割当メッセージのそれぞれに含まれた前記フレームインデックス、前記レインジングコード、前記レインジングシンボル及び前記レインジングサブチャネルのうち少なくとも一つは同じ値として設定される
ことを特徴とする請求項３に記載の方法。
【請求項５】
前記第１資源割当メッセージによって割り当てられた資源を介して受信された信号及び前記第２資源割当メッセージによって割り当てられた資源を介して受信された信号をソフトコンバイニングする過程を更に含む請求項１に記載の方法。
【請求項６】
無線通信システムにおける基地局装置であって、
ソフトコンバイニングを支援するレインジングコード情報を伝送する送信部と、
端末から前記レインジングコードを受信する受信部と、を含み、
前記送信部は、前記端末からレインジング要請信号を送信するための資源割当情報を含む第１資源割当メッセージを前記端末に伝送し、前記レインジング要請信号が受信されない場合、前記端末から前記レインジング要請信号を再伝送するための資源割当情報を含む第２資源割当メッセージを前記端末に伝送する
ことを特徴とする装置。
【請求項７】
前記レインジング要請信号は、レインジング要請メッセージを含む
ことを特徴とする請求項６に記載の装置。
【請求項８】
前記第１資源割当メッセージ及び前記第２資源割当メッセージは、フレームインデックス、レインジングコード、レインジングシンボル及びレインジングサブチャネルのうち少なくとも一つを含む
ことを特徴とする請求項６に記載の装置。
【請求項９】
前記第１資源割当メッセージ及び前記第２資源割当メッセージのそれぞれに含まれた前記フレームインデックス、前記レインジングコード、前記レインジングシンボル及び前記レインジングサブチャネルのうち少なくとも一つは同じ値として設定される
ことを特徴とする請求項８に記載の装置。
【請求項１０】
前記第１資源割当メッセージによって割り当てられた資源を介して受信された信号及び前記第２資源割当メッセージによって割り当てられた資源を介して受信された信号をソフトコンバイニングする制御部を更に含む
ことを特徴とする請求項６に記載の装置。
【請求項１１】
無線通信システムにおける端末の動作方法であって、
ソフトコンバイニングを支援するレインジングコード情報を受信する過程と、
前記レインジングコードを基地局に伝送する過程と、
前記基地局から、レインジング要請信号を伝送するための資源割当情報を含む第１資源割当メッセージを受信する過程と、
前記レインジング要請信号を受信していない前記基地局から、前記端末から前記レインジング要請信号を再伝送するための資源割当情報を含む第２資源割当メッセージを受信する過程と、を含む方法。
【請求項１２】
前記第１資源割当メッセージによって割り当てられた資源を介して前記レインジング要請信号を伝送する過程と、
前記第２資源割当メッセージによって割り当てられた資源を介して前記レインジング要請信号を再伝送する過程と、を更に含む
ことを特徴とする請求項１１に記載の方法。
【請求項１３】
前記レインジング要請信号は、レインジング要請メッセージを含む
ことを特徴とする請求項１１に記載の方法。
【請求項１４】
前記第１資源割当メッセージ及び前記第２資源割当メッセージは、フレームインデックス、レインジングコード、レインジングシンボル及びレインジングサブチャネルのうち少なくとも一つを含む
ことを特徴とする請求項１１に記載の方法。
【請求項１５】
前記第１資源割当メッセージ及び前記第２資源割当メッセージのそれぞれに含まれた前記フレームインデックス、前記レインジングコード、前記レインジングシンボル及び前記レインジングサブチャネルのうち少なくとも一つは同じ値として設定される
ことを特徴とする請求項１４に記載の方法。
【請求項１６】
前記レインジング要請信号の再伝送回数及び再伝送有効時間のうち少なくとも一つに基づいて前記レインジング要請信号を再伝送し得るか否かを判断する過程を更に含む請求項１１に記載の方法。
【請求項１７】
前記第１資源割当メッセージに含まれた資源割当情報及び前記第２資源割当メッセージに含まれた資源割当情報が同じである場合、前記レインジング要請信号を再伝送する過程を更に含む
ことを特徴とする請求項１１に記載の方法。
【請求項１８】
無線通信システムにおける端末装置であって、
ソフトコンバイニングを支援するレインジングコード情報を受信する受信部と、
前記レインジングコードを基地局に伝送する送信部と、を含み、
前記受信部は、前記基地局から、前記端末装置からレインジング要請信号を伝送するための資源割当情報を含む第１資源割当メッセージを受信し、前記レインジング要請信号を受信していない前記基地局から、前記端末からレインジング要請信号を再伝送するための資源割当情報を含む第２資源割当メッセージを受信する
ことを特徴とする装置。
【請求項１９】
前記送信部は、第１資源割当メッセージによって割り当てられた資源を介して前記レインジング要請信号を伝送し、前記第２資源割当メッセージによって割り当てられた資源を介して前記レインジング要請信号を再伝送する
ことを特徴とする請求項１８に記載の装置。
【請求項２０】
前記レインジング要請信号は、レインジング要請メッセージを含む
ことを特徴とする請求項１８に記載の装置。
【請求項２１】
前記第１資源割当メッセージ及び前記第２資源割当メッセージは、フレームインデックス、レインジングコード、レインジングシンボル及びレインジングサブチャネルのうち少なくとも一つを含む
ことを特徴とする請求項１８に記載の装置。
【請求項２２】
前記第１資源割当メッセージ及び前記第２資源割当メッセージのそれぞれに含まれた前記フレームインデックス、前記レインジングコード、前記レインジングシンボル及び前記レインジングサブチャネルのうち少なくとも一つは同じ値として設定される
ことを特徴とする請求項２１に記載の装置。
【請求項２３】
前記レインジング要請信号の再伝送回数及び再伝送有効時間のうち少なくとも一つに基づいて前記レインジング要請信号を再伝送し得るか否かを判断する制御部を更に含む
ことを特徴とする請求項１８に記載の装置。
【請求項２４】
前記第１資源割当メッセージに含まれた資源割当情報及び前記第２資源割当メッセージに含まれた資源割当情報が同じである場合、前記レインジング要請信号を再伝送するように制御する制御部を更に含む
ことを特徴とする請求項１８に記載の装置。
【発明の詳細な説明】
【背景技術】
【０００１】
本発明は、無線通信システムにおける自動再伝送要請（ＨＡＲＱ）のための装置及びその方法に関するものであり、特に前記無線通信システムにおける端末のレインジングのためのＨＡＲＱを支援するための装置及びその方法に関するものである。
【０００２】
無線通信システムで端末が基地局から割り当てられた資源がない場合、前記端末は任意のレインジングコードを前記基地局に伝送する。
【０００３】
前記基地局は、レインジングコードを受信すると前記レインジングコードを伝送した端末を識別することができないため、ＣＤＭＡ＿Ａｌｌｏｃａｔｉｏｎ＿ＩＥという資源割当情報を使用して前記端末に資源を割り当てる。
【０００４】
前記端末は、前記基地局から割り当てられた資源を利用して前記基地局にレインジング要請メッセージ（ＲＮＧ−ＲＥＱ）を伝送する。
【０００５】
しかし、前記端末と基地局がリンク適応手順を行った状態で前記端末がレインジング要請メッセージを伝送する場合、前記基地局は前記端末のレインジング要請メッセージ伝送にロバストしたＭＣＳレベル及び反復を適用してレインジングのためのサービス範囲に制約が発生する問題点がある。
【発明の概要】
【発明が解決しようとする課題】
【０００６】
本発明の目的は、上述した問題点及び／又は短所を解決し、最小限の長所を下記に記述したように提供することである。よって、本発明の目的は、無線通信端システムにおけるレインジングのためのサービス範囲を増大させるための装置及びその方法を提供することにある。
【０００７】
本発明の他の目的は、無線通信端システムにおける端末のレインジングのためのＨＡＲＱを支援するための装置及びその方法を提供することにある。
【０００８】
本発明のまた他の目的は、無線通信端システムにおける基地局でＨＡＲＱを支援する端末に対してレインジング要請メッセージ（ＲＮＧ−ＲＥＱ）のＨＡＲＱを支援するための装置及びその方法を提供することにある。
【０００９】
本発明の更に他の目的は、無線通信端システムにおけるレインジング要請メッセージのＨＡＲＱを支援するためにレインジングコードでＨＡＲＱを支援する端末とＨＡＲＱを支援しない端末を区分するための装置及びその方法を提供することにある。
【００１０】
本発明の更なる目的は、無線通信端システムの端末におけるレインジング要請メッセージに対するＨＡＲＱを支援するための装置及びその方法を提供することにある。
【００１１】
本発明の目的を達成するための本発明の第１見地によると、基地局の動作方法は、レインジングコード分割情報を少なくとも一つの端末に伝送する過程と、前記端末からレインジングコードが受信される場合、前記レインジングコードに応じて前記端末に資源を割り当てる過程と、前記端末に割り当てた資源を介してレインジング信号が受信されない場合、前記端末にレインジング信号の再伝送を要請する過程と、を含む。
【００１２】
本発明の第２見地によると、端末の動作方法は、レインジングコード分割情報を確認する過程と、前記レインジングコード分割情報に含まれる多数個のレインジングコードのうちいずれか一つのレインジングコードを選択する過程と、前記選択したレインジングコードを基地局に伝送する過程と、前記基地局から前記レインジングコードに対する資源を割り当てられる過程と、前記割り当てられた資源を介してレインジング信号を前記基地局に伝送する過程と、前記基地局で再伝送を要請する場合、レインジング信号を前記基地局に再伝送する過程と、を含む。
【００１３】
本発明の第３見地によると、端末構成は、信号を受信する受信部と、信号を伝送する送信部と、レインジングコード分割情報を少なくとも一つの端末に伝送し、前記端末からレインジングコードが受信される場合、前記レインジングコードに応じて前記端末に資源を割り当てる制御部と、を含み、前記制御部は、前記端末に割り当てた資源を介してレインジング信号が受信されない場合、前記端末にレインジング信号の再伝送を要請する。
【００１４】
本発明の第４見地によると、端末構成は、信号を受信する受信部と、信号を伝送する送信部と、レインジングコード分割情報に含まれる多数個のレインジングコードのうちいずれか一つのレインジングコードを選択し、前記送信機を介して前記選択したレインジングコードを基地局に伝送し、前記基地局から割り当てられた資源に応じて前記送信機を介してレインジング信号を前記基地局に伝送する制御部と、を含み、前記基地局で再伝送を要請する場合、前記制御部は前記送信部を介してレインジング信号を前記基地局に再伝送するように制御する。
【００１５】
本発明の他の見地、利益、主な特徴は、以下に添付した本発明の実施形態及び図面と共に説明される詳細な説明により当業者にとって明白に認識されるはずである。
【００１６】
本発明の実施形態による本発明の上述した見地及び他の見地、特徴、利益は、以下のような図面と共に説明される詳細な説明から明白に認識されるはずである。
【図面の簡単な説明】
【００１７】
【図１】本発明の実施形態による基地局における移動局とのレインジング手順を示す図である。
【図２】本発明の実施形態による基地局における移動局とのレインジング手順を示す図である。
【図３】本発明の実施形態による端末におけるレインジング手順を示す図である。
【図４】本発明の実施形態による端末におけるレインジング手順を示す図である。
【図５】本発明による基地局のブロック構成を示す図である。
【図６】本発明による端末のブロック構成を示す図である。
【図７】本発明の実施形態による帯域要請ヘッダの構成を示す図である。
【発明を実施するための形態】
【００１８】
上述した図面全般にかけて、図面の参照番号は同じであるか類似した要素、機能及び構造を描写するために使用される。
【００１９】
以下、図面を参照した説明は、特許請求の範囲及びそれと同等なものにより定義される本発明の実施形態の包括的な理解を助けるために提供される。以下の説明は、理解を助けるために多様な具体的な細部事項を含むが、単なる例示として取り扱われるのみである。従って、本発明の思想や範囲を逸脱しない範囲内で実施形態の多様な変形及び修正が可能であるというのはもちろんである。また、広く知られている機能及び構造の説明は明確性のために省略する。
【００２０】
「ａ」、「ａｎ」及び「ｔｈｅ」のような単数形式は、文脈で明確に記述しない限り多数の指示対象を含む。例えば、「ａ  ｃｏｍｐｏｎｅｎｔ  ｓｕｒｆａｃｅ」は、少なくとも一つの意味を含む。
【００２１】
以下、本発明は、無線通信システムにおけるレインジングのＨＡＲＱを選択的に適用するための技術について説明する。
【００２２】
以下の説明において、端末はレインジングのＨＡＲＱのための情報をレインジングの前に予め決定したと仮定する。
【００２３】
図１は、本発明の実施形態による基地局における移動局とのレインジング手順を示す図である。
【００２４】
図１を参照すると、前記基地局はステップ１０１で、レインジングコード分割情報をサービス領域に位置する少なくとも一つの端末に伝送する。例えば、前記基地局は、レインジングコード分割情報を含むＵＣＤメッセージをサービス領域に位置する少なくとも一つの端末に伝送する。ここで、前記ＵＣＤに含まれるＨＡＲＱを支援する端末のために定義されたレインジングコード分割情報は下記＜表１＞のように示すことができる。
【００２５】
【表１】
0005863059.tif 000002
【００２６】
次に、前記基地局はステップ１０３に進行してサービス領域に位置する端末からレインジングコードが受信されるのかを確認する。
【００２７】
レインジングコードが受信されない場合、前記基地局は本アルゴリズムを終了する。他の例として、前記基地局は前記ステップ１０１に進行し、予め決められた周期ごとにＵＣＤを伝送してもよい。
【００２８】
一方、レインジングコードが受信された場合、前記基地局はステップ１０５に進行し、受信されたレインジングコードの種類に応じてレインジングコードを伝送した端末がＨＡＲＱを支援するのかを確認する。
【００２９】
前記端末がＨＡＲＱを支援する場合、前記基地局はステップ１０７に進行し、前記端末を区別し得る必須パラメータを伝送するのに必要なアップリンク資源を前記端末に割り当てる。例えば、前記基地局は、前記端末が識別情報とＧＭＳＨを伝送し得る資源をＣＤＭＡ＿Ａｌｌｏｃａｔｉｏｎ＿ＩＥという資源割当メッセージを使用して前記端末に割り当てる。この際、前記基地局は前記資源割当メッセージを伝送する端末の識別情報を知ることができない。それによって、前記基地局はレインジングコードのインデックス、レインジングコードを受信した位置に前記端末を示すように前記ＣＤＭＡ＿Ａｌｌｏｃａｔｉｏｎ＿ＩＥを構成する。もし、同じフレームに多数個のレインジングコードが受信された場合、前記基地局はそれぞれのレインジングコードに対するＣＤＭＡ＿Ａｌｌｏｃａｔｉｏｎ＿ＩＥを伝送してそれぞれの端末にアップリンク資源を割り当てる。ここで、前記ＧＭＳＨは端末がレインジング要請メッセージ（ＲＮＧ−ＲＥＱ）以外に追加に必要な資源の量を要請するのに使用するサブヘッダを示す。また、前記レインジングコードを受信した位置はフレーム番号で示すことができる。ここで、前記ＣＤＭＡ＿Ａｌｌｏｃａｔｉｏｎ＿ＩＥは下記＜表２＞のように構成される。
【００３０】
【表２】
0005863059.tif 000003
【００３１】
次に、前記基地局はステップ１０９に進行し、前記端末に割り当てたアップリンク資源を介してレインジング要請メッセージが受信されるのかを確認する。
【００３２】
レインジング要請メッセージが受信されない場合、前記基地局は前記端末がレインジングを失敗したと認識する。それによって、前記基地局はステップ１０７に進行し、ＨＡＲＱを介してレインジング要請メッセージを再伝送されるための資源を前記端末に更に割り当てる。例えば、前記基地局はＣＤＭＡ＿Ａｌｌｏｃａｔｉｏｎ＿ＩＥを利用して前記端末からレインジング要請メッセージを再伝送されるための資源を割り当てる。この際、前記ＣＤＭＡ＿Ａｌｌｏｃａｔｉｏｎ＿ＩＥは前記＜表２＞のＦｒａｍｅ  Ｎｅｍｂｅｒ  Ｉｎｄｅｘ，Ｒａｎｇｉｎｇ  Ｃｏｄｅ，Ｒａｎｇｉｎｇ  Ｓｙｍｂｏｌ及びＲａｎｇｉｎｇ  ｓｕｂｃｈａｎｎｅｌ変数を利用してレインジング要請メッセージに対する再伝送を要請することを示す。即ち、前記Ｆｒａｍｅ  Ｎｅｍｂｅｒ  Ｉｎｄｅｘ，ＲａｎｇｉｎｇＣｏｄｅ，Ｒａｎｇｉｎｇ  Ｓｙｍｂｏｌ及びＲａｎｇｉｎｇ  ｓｕｂｃｈａｎｎｅｌ変数は、前記端末が最後に伝送したレインジングコードに対する情報を再使用することを示す。端末から再伝送されたレインジング要請メッセージが受信された場合、基地局はＨＡＲＱによるソフトコンバイニングに応じて受信されたレインジング要請メッセージを復号する。
【００３３】
一方、前記端末に割り当てたアップリンク資源を介して第１レインジング要請メッセージを受信した場合、前記基地局はステップ１１１に進行し、前記端末にレインジング応答メッセージ（ＲＮＧ−ＲＳＰ）を伝送する。ここで、前記レインジング応答メッセージは基本ＣＩＤ及び第１運営ＣＩＤを含む。
【００３４】
次に、前記基地局はステップ１１３に進行し、前記第１レインジング要請メッセージのＧＭＳＨを確認して前記端末に資源を追加に割り当てるのかを決定する。
【００３５】
前記第１レインジング要請メッセージのＧＭＳＨが存在し、前記ＧＭＳＨのピギーバック要請が０ではない場合、前記基地局は前記端末に資源を追加に割り当てると決定する。それによって、前記基地局はステップ１１５に進行し、前記ＧＭＳＨを介して端末が追加に要請した資源を前記端末に割り当てる。この際、前記基地局は下記＜表３＞のように構成されるＨＡＲＱ  ＵＬ−ＭＡＰ  ＩＥを利用して前記端末に追加に割り当てた資源情報を伝送する。即ち、前記基地局はレインジング応答メッセージを介して前記端末に基本ＣＩＤと第１運営ＣＩＤを割り当てたため、下記＜表３＞のように構成されるＨＡＲＱ  ＵＬ−ＭＡＰ  ＩＥを利用して前記端末に割り当てた資源情報を伝送する。
【００３６】
【表３Ａ】
0005863059.tif 000004
【表３Ｂ】
0005863059.tif 000005
【００３７】
次に、前記基地局はステップ１１７に進行し、前記端末に割り当てたアップリンク資源を介して第２レインジング要請メッセージが受信されるのかを確認する。
【００３８】
前記端末に割り当てたアップリンク資源を介して第２レインジング要請メッセージを受信されない場合、前記基地局は前記端末の第２レインジング要請メッセージが失敗したと認識する。それによって、前記基地局はステップ１１５に進行し、前記第２レインジング要請メッセージを再伝送されるための資源を前記端末に更に割り当てる。例えば、前記基地局はＨＡＲＱ  ＵＬ−ＭＡＰ  ＩＥを利用して前記端末に第２レインジング要請メッセージを再伝送されるための資源を割り当てる。この際、前記基地局は前記ＨＡＲＱ  ＵＬ−ＭＡＰ  ＩＥに含まれるＨＡＲＱ  ｓｕｂｂｕｒｓｔ  ＩＥのＡＩ＿ＳＮを利用して前記第２レインジング要請メッセージのＡＣＫ／ＮＡＣＫ情報を前記端末に伝送する。即ち、前記基地局がＡＩ＿ＳＮを直前のＨＡＲＱ  ＵＬ−ＭＡＰ  ＩＥ内に含まれた端末のｓｕｂｂｕｒｓｔ  ＩＥ内のＡＩ＿ＳＮと同じ値として設定して伝送する場合、端末は前記ＨＡＲＱ  ＵＬ−ＭＡＰ  ＩＥを第２レインジング要請メッセージのＮＡＣＫとして認識する。また、前記基地局はＤＬ  ＨＡＲＱ  ＡＣＫ  ＩＥを利用して第２レインジング要請メッセージのＡＣＫ／ＮＡＣＫ情報を前記端末に伝送してもよい。即ち、前記基地局は前記ＤＬ  ＨＡＲＱ  ＡＣＫ  ＩＥのビットマップで該当端末のビットを１又は０と表示して前記第２レインジング要請メッセージのＡＣＫ／ＮＡＣＫ情報を表示し得る。
【００３９】
一方、前記端末に割り当てたアップリンク資源を介して第２レインジング要請メッセージを受信した場合、前記基地局は本アルゴリズムを終了する。この際、図示されていないが、前記第２レインジング要請メッセージを受信した場合、前記基地局は前記端末２に前記第２レインジング要請メッセージに対するレインジング応答メッセージ（ＲＮＧ−ＲＳＰ）を伝送する。
【００４０】
前記ステップ１０５において、端末がＨＡＲＱを支援しない場合、前記基地局はステップ１１９に進行して前記レインジングコードを伝送した端末にレインジング要請メッセージのための資源を割り当てる。
【００４１】
次に、前記基地局はステップ１２１に進行し、前記端末に割り当てたアップリンク資源を介してレインジング要請メッセージが受信されるのかを確認する。
【００４２】
前記レインジング要請メッセージを受信されなかった場合、前記基地局は本アルゴリズムを終了する。
【００４３】
一方、前記レインジング要請メッセージを受信した場合、前記基地局はステップ１２３に進行し、前記端末にレインジング応答メッセージを伝送する。
【００４４】
次に、前記基地局は本アルゴリズムを終了する。
【００４５】
上述した実施形態において、基地局はレインジン要請メッセージを受信されなかった場合、レインジング要請メッセージのＨＡＲＱのためにＣＤＭＡ＿Ａｌｌｏｃａｔｉｏｎ＿ＩＥを利用して前記端末に資源を更に割り当てる。
【００４６】
また、前記基地局は第２レインジン要請メッセージを受信されなかった場合、第２レインジング要請メッセージのＨＡＲＱのためにＨＡＲＱ  ＵＬ−ＭＡＰ  ＩＥを利用して前記端末に資源を更に割り当てる。
【００４７】
更に他の実施形態において、基地局はレインジング要請メッセージを受信されなかった場合、前記レインジング要請メッセージの再伝送回数を考慮して前記端末がレインジング要請メッセージを再伝送し得るのかを確認する。もし、前記端末がレインジン要請メッセージを再伝送し得る場合、前記基地局はレインジング要請メッセージのＨＡＲＱのためにＣＤＭＡ＿Ａｌｌｏｃａｔｉｏｎ＿ＩＥを利用して前記端末に資源を更に割り当てる。
【００４８】
また、基地局は第２レインジング要請メッセージを受信されなかった場合、前記第２レインジング要請メッセージの再伝送回数を考慮して前記端末が第２レインジング要請メッセージを再伝送し得るのかを確認する。もし、前記端末が第２レインジン要請メッセージを再伝送し得る場合、前記基地局は第２レインジング要請メッセージのＨＡＲＱのためにＨＡＲＱ  ＵＬ−ＭＡＰ  ＩＥを利用して前記端末に資源を更に割り当てる。
【００４９】
図２は、本発明の実施形態による端末におけるレインジング手順を示す図である。
【００５０】
前記図２を参照すると、端末はステップ２０１でレインジングコード分割情報を確認する。例えば、前記端末は基地局から提供されたＵＣＤでレインジングコード分割情報を確認する。
【００５１】
次に、前記端末はステップ２０３に進行してＨＡＲＱを支援し得るのかを確認する。
【００５２】
ＨＡＲＱを支援する場合、前記端末はステップ２０５に進行し、前記レインジングコード分割情報からＨＡＲＱを支援するコードのうち任意のレインジングコードを選択して前記基地局に伝送する。この際、前記端末は下記＜表４＞を参照して任意のコードを選択する。
【００５３】
【表４】
0005863059.tif 000006
【００５４】
次に、前記端末はステップ２０７に進行して前記基地局から資源割当情報が受信されるのかを確認する。例えば、前記端末は前記基地局から前記伝送したレインジングコードに対するＣＤＭＡ＿Ａｌｌｏｃａｔｉｏｎ＿ＩＥが受信されるのかを確認する。この際、前記端末はフレーム番号のインデックス、レインジングコード／レインジングシンボル、レインジングサブチャネルを利用して自らのＣＤＭＡ＿Ａｌｌｏｃａｔｉｏｎ＿ＩＥを確認する。
【００５５】
一定時間の間、前記基地局から資源割当情報を受信されない場合、前記端末はステップ２０５に進行し、前記レインジングコード分割情報からＨＡＲＱを支援するコードのうち任意のレインジングコードを選択して前記基地局に更に伝送する。他の例として、前記端末は、前記ステップ２０５で前記基地局に伝送したレインジングコードを前記基地局に更に伝送してもよい。
【００５６】
一方、前記基地局から資源割当情報を受信する場合、前記端末は一定時間の間前記基地局にレインジングコードを伝送しない。例えば、ＣＭＤＡ＿Ａｌｌｏｃａｔｉｏｎ＿ＩＥのＦｒａｍｅ  Ｎｕｍｂｅｒ  Ｉｎｄｅｘが４ビットで構成される場合、前記端末は前記基地局に伝送したレインジングコードのＣＭＤＡ＿Ａｌｌｏｃａｔｉｏｎ＿ＩＥを受信した後、１６フレームの間前記基地局にレインジングコードを伝送しない。
【００５７】
また、前記基地局から資源割当情報を受信する場合、前記端末はステップ２０９に進行し、前記基地局から割り当てられた資源を利用して自らの識別情報をＧＭＳＨを含むレインジング要請メッセージを前記基地局に伝送する。この際、前記端末は下記＜表５＞のようにＧＭＳＨを構成し得る。ここで、前記ＧＭＳＨはレインジング要請メッセージのＭＡＣ  ＰＤＵ内でレインジング要請メッセージの前に位置する。
【００５８】
【表５】
0005863059.tif 000007
【００５９】
この際、前記端末はステップ２１１に進行し、前記伝送したレインジング要請メッセージに対するレインジング応答メッセージが受信されるのかを確認する。
【００６０】
前記レインジング応答メッセージが受信されない場合、前記端末はステップ２１９に進行し、前記基地局がレインジング要請メッセージの再伝送を要請するのかを確認する。例えば、前記端末は前記ステップ２０７で受信されたＣＤＭＡ＿Ａｌｌｏｃａｔｉｏｎ＿ＩＥと同じＣＤＭＡ＿Ａｌｌｏｃａｔｉｏｎ＿ＩＥが受信されるのかを確認する。
【００６１】
前記基地局が前記レインジング要請メッセージの再伝送を要請しない場合、前記端末は前記ステップ２１１に進行し、前記伝送したレインジング要請メッセージに対するレインジング応答メッセージが受信されるのかを確認する。
【００６２】
一方、前記ステップ２０７で受信されたＣＤＭＡ＿Ａｌｌｏｃａｔｉｏｎ＿ＩＥと同じＣＤＭＡ＿Ａｌｌｏｃａｔｉｏｎ＿ＩＥを受信される場合、前記端末は前記基地局が前記レインジング要請メッセージの再伝送を要請したと認識する。それによって、前記端末はステップ２２１に進行し、前記レインジング要請メッセージを再伝送し得るのかを確認する。例えば、前記端末は前記レインジング要請メッセージの再伝送回数を考慮して前記レインジング要請メッセージを再伝送し得るのかを確認する。他の例として、前記端末はＴ３タイマを利用して前記レインジング要請メッセージを再伝送し得るのかを確認してもよい。即ち、前記ＣＭＤＡ＿Ａｌｌｏｃａｔｉｏｎ＿ＩＥのＦｒａｍｅ  Ｎｕｍｂｅｒ  Ｉｎｄｅｘが４ビットで構成される場合、前記ＣＭＤＡ＿Ａｌｌｏｃａｔｉｏｎ＿ＩＥの情報は１６フレームの間有効である。それによって、前記端末は１６フレームの時間の間駆動される前記Ｔ３タイマを利用して前記レインジング要請メッセージを再伝送し得るのかを確認することができる。ここで、前記Ｔ３タイマは前記ステップ２０７でＣＤＭＡ＿Ａｌｌｏｃａｔｉｏｎ＿ＩＥを受信されると駆動される。前記端末は、前記Ｔ３タイマが消滅される場合、レインジング要請メッセージに対する再伝送を行うことができないと認識する。
【００６３】
前記レインジング要請メッセージを再伝送することができない場合、前記端末は本アルゴリズムを終了する。この際、前記端末は新たなレインジングコードを前記基地局に伝送するか他の基地局への接続を試みてもよい。
【００６４】
前記レインジング要請メッセージを再伝送し得る場合、前記端末はステップ２２３に進行し、前記基地局にレインジング要請メッセージを再伝送する。この際、前記端末は前記ステップ２１９で、ＣＤＭＡ＿Ａｌｌｏｃａｔｉｏｎ＿ＩＥを介して前記基地局から提供された資源割当情報を利用してレインジング要請メッセージを再伝送する。
【００６５】
前記ステップ２１１でレインジング応答メッセージを受信した場合、前記端末はステップ２１３に進行し、レインジングを介して追加に伝送する情報が存在するのかを確認する。即ち、前記端末はレインジング要請メッセージのＧＭＳＨのピギーバック要請に添付した追加要請資源の量を確認する。
【００６６】
前記ＧＭＳＨに追加要請資源を添付しないか、前記ＧＭＳＨに添付した追加要請資源の量が０である場合、前記端末はレインジングが終了されたと認識する。それによって、前記端末は本アルゴリズムを終了する。
【００６７】
一方、前記ＧＭＳＨに添付した追加要請資源の量が０ではない場合、前記端末は追加に伝送する情報が存在すると認識する。それによって、前記端末はステップ２１５に進行して第２レインジングのための資源割当情報が受信されるのかを確認する。ここで、前記第２レインジングのための資源割当情報は前記＜表３＞のようにＨＡＲＱ  ＵＬ−ＭＡＰ  ＩＥの形で構成される。
【００６８】
前記第２レインジングのための資源割当情報が受信される場合、前記端末はステップ２１７に進行し、第２レインジング要請メッセージを生成して前記基地局に伝送する。
【００６９】
この際、前記端末はステップ２１１に進行し、前記第２レインジング要請メッセージに対するレインジング応答メッセージが受信されるのかを確認する。即ち、前記端末は第２レインジング要請メッセージに対するレインジング応答メッセージの受信可否によって前記第２レインジング要請メッセージに対するＨＡＲＱを行う。
【００７０】
前記ステップ２０３で前記端末がＨＡＲＱを支援しない場合、前記端末はステップ２２５に進行し、前記レインジングコード分割情報からＨＡＲＱを支援しないコードのうち任意のレインジングコードを選択して前記基地局に伝送する。
【００７１】
次に、前記端末はステップ２２７に進行して前記基地局から資源割当情報が受信されるのかを確認する。例えば、前記端末は前記基地局から前記伝送したレインジングコードに対するＣＤＭＡ＿Ａｌｌｏｃａｔｉｏｎ＿ＩＥが受信されるのかを確認する。この際、前記端末はフレーム番号のインデックス、レインジングコード／レインジングシンボル、レインジングサブチャネルを利用して自らのＣＤＭＡ＿Ａｌｌｏｃａｔｉｏｎ＿ＩＥを確認する。
【００７２】
一定時間の間、前記基地局から資源割当情報を受信されない場合、前記端末はステップ２２５に進行し、前記レインジングコード分割情報からＨＡＲＱを支援するコードのうち任意のレインジングコードを選択して前記基地局に伝送する。他の例として、前記端末は、前記ステップ２２５で前記基地局に伝送したレインジングコードを前記基地局に更に伝送してもよい。
【００７３】
一方、前記基地局から資源割当情報を受信する場合、前記端末はステップ２２９に進行してレインジング要請メッセージを前記基地局に伝送する。
【００７４】
次に、前記端末はステップ２３１に進行して前記基地局からレインジング応答メッセージが受信されるのかを確認する。
【００７５】
一定時間の間、前記基地局からレインジング応答メッセージを受信されない場合、前記端末はステップ２２５に進行し、レインジングコードを選択して前記基地局に伝送する。
【００７６】
一方、前記基地局からレインジング応答メッセージを受信した場合、前記端末は前記基地局とのレインジングが終了されたと認識して本アルゴリズムを終了する。
【００７７】
図３は、本発明による基地局のブロック構成を示す図である。
【００７８】
前記図３に示したように、前記基地局は、デュプレクサ３００、受信部３０２、メッセージ処理機３０４、制御部３０６、ＨＡＲＱ制御部３０８、メッセージ生成機３１０及び送信部３１２を含む。
【００７９】
前記デュプレクサ３００は、デュプレックス方式によって前記送信部３１２から提供された送信信号をアンテナを介して送信し、アンテナからの受信信号を受信部３０２に提供する。
【００８０】
前記受信部３０２は、前記デュプレクサ３００から提供された高周波信号を基底帯域信号に変換して復調する。前記受信部３０２はＲＦ処理ブロック、復調ブロック、チャネル復号ブロックなどを含んでもよい。ここで、前記ＲＦ処理ブロックは前記デュプレクサ３００から提供された高周波信号を基底帯域信号に変換して復調する。前記復調ブロックは、前記ＲＦ処理ブロックから提供された信号から各副搬送波に載せられたデータを抽出するためのＦＦＴ演算器などを含んでもよい。前記チャネル復号ブロックは復調器、ディインターリーバ及びチャネルデコーダなどを含んでもよい。
【００８１】
前記メッセージ処理機３０４は、前記受信部３０２から提供された信号から制御情報を抽出して前記制御部３０６に提供する。例えば、前記メッセージ処理機３０４は、前記受信部３０２から提供された信号からレインジングコード、レインジング要請メッセージ及び第２レインジング要請メッセージなどを抽出して前記制御部３０６に提供する。
【００８２】
前記制御部３０６は、前記基地局の全般的な動作及びスケジューリングを制御する。例えば、前記制御部３０６は、前記メッセージ処理機３０４からレインジングコードを提供される場合、前記図１に示したように前記レインジングコードに対するアップリンク資源を割り当てる。この際、前記制御部３０６は前記ＨＡＲＱ制御部３０８の制御に応じてＨＡＲＱを支援する端末に識別情報とＧＭＳＨを伝送し得る最小資源のみを割り当てることができる。
【００８３】
また、前記制御部３０６は前記ＨＡＲＱ制御部３０８の制御に応じてレインジング要請メッセージを再伝送されるための資源を割り当てるか、第２レインジング要請メッセージのための資源を割り当ててもよい。
【００８４】
前記ＨＡＲＱ制御部３０８は、前記メッセージ処理機３０４から提供されたレインジングコードの種類に応じ前記レインジングコードを伝送した端末がＨＡＲＱを支援するのか否かを確認する。もし、前記端末がＨＡＲＱを支援する場合、ＨＡＲＱを支援する端末に識別情報とＧＭＳＨを伝送し得る最小資源のみを割り当てるように前記制御部３０６を制御する。
【００８５】
また、前記ＨＡＲＱ制御部３０８は、前記制御部３０６がＨＡＲＱを支援する端末に割り当てたアップリンク資源を介してレインジング要請メッセージを受信されなかった場合、前記レインジング要請メッセージを再伝送されるための資源を割り当てるように前記制御部３０６を制御する。端末から再伝送されたレインジング要請メッセージが受信された場合、基地局はＨＡＲＱによるソフトコンバイニングに応じて受信されたレインジング要請メッセージを復号する。
【００８６】
また、前記ＨＡＲＱ制御部３０８は、前記メッセージ処理機３０４から提供されたレインジング要請メッセージのＧＭＳＨを介して第２レインジング要請メッセージを伝送するために前記端末が要請する資源の量が確認される場合、レインジングのための資源を追加に割り当てるように前記制御部３０６を制御する。
【００８７】
前記メッセージ生成機３１０は、前記制御部３０６の制御に応じて端末に伝送する制御メッセージを生成する。例えば、前記メッセージ生成機３１０は、前記制御部３０６の制御に応じてレインジングコード分割情報を含むＵＣＤメッセージを生成する。他の例として、前記メッセージ生成機３１０は、前記制御部３０６の制御に応じてレインジング要請メッセージのための資源割当情報を含む前記＜表２＞のようなＣＤＭＡ＿Ａｌｌｏｃａｔｉｏｎ＿ＩＥの形の資源割当メッセージを生成する。また他の例として、前記メッセージ生成機３１０は、前記制御部３０６の制御に応じて第２レインジング要請メッセージのための資源割当情報を含む前記＜表３＞のようなＨＡＲＱ  ＵＬ−ＭＡＰ  ＩＥの形の資源割当メッセージを生成する。
【００８８】
前記送信部３１２は、前記端末に伝送するデータ及び前記メッセージ生成部３１０から提供された制御メッセージを符号化及び高周波信号に変換し、前記デュプレクサ３００に伝送する。例えば、前記送信部３１２は、チャネル符号ブロック、復調ブロック、ＲＦ処理ブロックなどを含んで構成されてもよい。ここで、前記チャネル符号ブロックは、変調器、インターリーバ及びチャネルインコーダなどを含んでもよい。前記変調ブロックは、前記チャネル符号ブロックから提供された信号を各副搬送波にマッピングするためのＩＦＦＴ演算器などを含んでもよい。前記ＲＦ処理ブロックは、前記変調ブロックから提供された基底帯域信号を高周波信号に変換し、前記デュプレクサ３００に出力する。
【００８９】
上述した構成において、前記制御部３０６はプロトコル制御部であり、前記ＨＡＲＱ制御部３０８の機能を行うことができる。本発明でそれらを別途に構成したのは、各機能を区別して説明するためである。従って、実際に具現する場合、それら全てを前記制御部３０６で処理するように構成してもよい。
【００９０】
図４は、本発明による端末のブロック構成を示す図である。
【００９１】
前記図４に示したように、前記端末は、デュプレクサ４００、受信部４０２、メッセージ処理機４０４、制御部４０６、メッセージ生成機４０８及び送信部４１０を含む。
【００９２】
前記デュプレクサ４００は、デュプレックス方式によって前記送信部４１０から提供された送信信号をアンテナを介して送信し、アンテナからの受信信号を受信部４０２に提供する。
【００９３】
前記受信部４０２は、前記デュプレクサ４００から提供された高周波信号を基底帯域信号に変換して復調する。前記受信部４０２、ＲＦ処理ブロック、復調ブロック、チャネル復号ブロックなどを含んでもよい。ここで、前記ＲＦ処理ブロックは前記デュプレクサ４００から提供された高周波信号を基底帯域信号に変換して出力する。前記復調ブロックは、前記ＲＦ処理ブロックから提供された信号から各副搬送波に載せられたデータを抽出するためのＦＦＴ演算器などを含んでもよい。前記チャネル復号ブロックは、ディインターリーバ及びチャネルデコーダなどを含んでもよい。
【００９４】
前記メッセージ処理機４０４は、前記受信部４０２から提供された信号から制御情報を抽出して前記制御部４０６に提供する。例えば、前記メッセージ処理機４０４は、前記受信部４０２から提供された信号からＵＣＤメッセージ及び資源割当メッセージなどを抽出して前記制御部４０６に提供する。ここで、前記資源割当メッセージはＣＤＭＡ＿Ａｌｌｏｃａｔｉｏｎ＿ＩＥとＨＡＲＱ  ＵＬ−ＭＡＰ  ＩＥを含む。
【００９５】
前記制御部４０６は、前記端末の全般的な動作及びスケジューリングを制御する。例えば、前記制御部４０６は、前記メッセージ生成機４０４から提供されたＵＣＤメッセージからレインジングコード分割情報を確認する。
【００９６】
前記制御部４０６は、レインジングコードを伝送する場合、ＨＡＲＱ資源可否によって前記レインジングコードを選択して基地局に伝送するように制御する。また、前記制御部４０６は前記図２に示したように、前記基地局から提供されたアップリンク資源を介してレインジング要請メッセージ又は第２レインジング要請メッセージを伝送するように制御する。
【００９７】
前記メッセージ生成機４０８は、前記制御部４０６の制御に応じて基地局に伝送する制御メッセージを生成する。例えば、前記メッセージ生成機４０８は、前記制御部４０６で選択したレインジングコードを前記基地局に伝送するためのメッセージを生成する。他の例として、前記メッセージ生成機４０８は、前記制御部４０６の制御に応じてレインジング要請メッセージを生成する。この際、前記メッセージ生成機４０８は前記端末がＨＡＲＱを支援する場合、前記＜表５＞のようにＧＭＳＨを含むレインジング要請メッセージを生成してもよい。また他の例として、前記メッセージ生成機４０８は、前記制御部４０６の制御に応じて第２レインジング要請メッセージを生成してもよい。
【００９８】
前記送信部４１０は、前記基地局に伝送するデータ及び前記メッセージ生成部４０８から提供された制御メッセージを符号化及び高周波信号に変換し、前記デュプレクサ４００に伝送する。例えば、前記送信部４１０は、チャネル符号ブロック、復調ブロック、ＲＦ処理ブロックなどを含んでもよい。ここで、前記チャネル符号ブロックは、変調器、インターリーバ及びチャネルインコーダなどを含んでもよい。前記変調ブロックは、前記チャネル符号ブロックから提供された信号を各副搬送波にマッピングするためのＩＦＦＴ演算器などを含んでもよい。前記ＲＦ処理ブロックは、前記変調ブロックから提供された基底帯域信号を高周波信号に変換し、前記デュプレクサ４００で出力する。
【００９９】
図示されていないが、前記端末は前記レインジング要請メッセージの再伝送回数を確認するためのタイマを更に含んで構成されてもよい。例えば、前記タイマは、ＣＭＤＡ＿Ａｌｌｏｃａｔｉｏｎ＿ＩＥのＦｒａｍｅ  Ｎｕｍｂｅｒ  Ｉｎｄｅｘが４ビットで構成される場合、前記ＣＭＤＡ＿Ａｌｌｏｃａｔｉｏｎ＿ＩＥの情報が有効な１６フレームを示すために１６フレームの時間の間駆動される。ここで、前記タイマはＣＤＭＡ＿Ａｌｌｏｃａｔｉｏｎ＿ＩＥを最初に受信されると駆動される。
【０１００】
上述した実施形態によって、基地局はＣＤＭＡ＿Ａｌｌｏｃａｔｉｏｎ＿ＩＥを介して端末にアップリンク資源を割り当てる。もし、前記端末がＨＡＲＱを支援する場合、前記端末は前記ＣＤＭＡ＿Ａｌｌｏｃａｔｉｏｎ＿ＩＥを介して確認したアップリンク資源を介してＨＡＲＱブロックを伝送する。この際、前記ＨＡＲＱブロックは、ＨＡＲＱのために一般的なバーストとは異なってＭＡＣ  ＰＤＵにＨＡＲＱ  ＣＲＣ−１６が追加された形で構成される。例えば、レインジング要請メッセージを伝送する場合、前記レインジング要請メッセージＭＡＣ  ＰＤＵの後ろにＨＡＲＱ  ＣＲＣ−１６が結合された形で構成される。ここで、前記ＭＡＣ  ＰＤＵはＧｅｎｅｒｉｃ  ＭＡＣヘッダとＭＡＣ  ＳＤＵが結合された形で構成され、前記ＭＡＣ  ＳＤＵはＧＭＳＨとレインジング要請及びＣＲＣ−３２を含んで構成される。
【０１０１】
他の実施形態において、端末がＨＡＲＱを支援する場合、前記端末は一般的なバーストの形でＨＡＲＱブロックを構成して伝送してもよい。即ち、前記端末はＭＡＣ  ＰＤＵにＨＡＲＱ  ＣＲＣ−１６を追加せず、前記ＭＡＣ  ＰＤＵのみでＨＡＲＱブロックを構成し得る。例えば、前記端末はＨＡＲＱ  ＣＲＣ−１６を追加せずにレインジング要請メッセージを構成し得る。
【０１０２】
この場合、前記基地局はＨＡＲＱ  ＣＲＣ−１６ではないレインジング要請メッセージのＭＡＣ  ＳＤＵに含まれるＣＲＣ−３２を確認し、レインジング要請メッセージのエラー発生可否を確認する。この際、前記基地局はレインジング要請メッセージが受信されない場合でも前記レインジング要請メッセージにエラーが発生したと認識し得る。もし、レインジング要請メッセージにエラーが発生した場合、前記基地局は前記図１のステップ１０９のように前記端末にアップリンク資源を再割り当ててもよい。この際、前記基地局は前記端末にレインジング要請メッセージに対するアップリンク資源を初期割り当てた後、１６フレームの間だけレインジング要請メッセージに対する資源を再割り当てることができる。ここで、ＣＤＭＡ＿Ａｌｌｏｃａｔｉｏｎ＿ＩＥを利用して再割り当てる場合、資源を再割り当てるための前記ＣＤＭＡ＿Ａｌｌｏｃａｔｉｏｎ＿ＩＥを前記＜表２＞のように構成してもよい。
【０１０３】
上述したように、無線通信システムはＨＡＲＱ伝送に対するオーバヘッドを減らすために、ＨＡＲＱ  ＣＲＣ−１６を使用せずにレインジング要請メッセージを構成する。即ち、端末はＨＡＲＱ  ＣＲＣ−１６を使用せずに第１レインジング要請メッセージを構成する。しかし、前記端末は第２レインジン要請メッセージに対してはＨＡＲＱ  ＣＲＣ−１６を省略したＨＡＲＱ伝送方式を使用しなくてもよい。即ち、前記第２レインジン要請メッセージは前記第１レインジング要請メッセージに対するレインジング応答メッセージに含まれる第１運営ＣＩＤ又は基本ＣＩＤを利用するため、ＨＡＲＱ  ＵＬ−ＭＡＰ  ＩＥを利用して伝送されてもよい。それによって、前記第２レインジン要請メッセージはＨＡＲＱ  ＣＲＣ−１６を省略しない一般的な（ｏｒｉｇｉｎａｌ）ＨＡＲＱ伝送方式を使用して伝送され得る。
【０１０４】
上述した実施形態において、無線通信システムは端末のＨＡＲＱ支援可否に応じてレインジング要請メッセージ（ＲＮＧ−ＲＥＱ）にＨＡＲＱを選択的に適用する。
【０１０５】
他の実施形態において、無線通信システムは端末のＨＡＲＱ支援可否に応じてＳＢＣ−ＲＥＱメッセージ及び帯域要請メッセージにＨＡＲＱを選択的に適用し得る。
【０１０６】
前記帯域要請メッセージに対するＨＡＲＱを選択的に適用する場合、前記無線通信システムは帯域要請メッセージに対してＨＡＲＱ  ＣＲＣ−１６を省略したＨＡＲＱ伝送方式を適用してもよい。即ち、ＨＡＲＱを支援する端末はＨＡＲＱを支援しない場合の伝送方式を利用して帯域要請メッセージを伝送してもよい。例えば、ＨＡＲＱを支援する端末が帯域を要請する場合、前記端末は帯域要請レインジングコードを基地局に伝送する。前記基地局はＣＤＭＡ＿Ａｌｌｏｃａｔｉｏｎ＿ＩＥを利用して６ビットの大きさのアップリンクバーストを前記端末に割り当てる。この際、前記端末はＨＡＲＱ  ＣＲＣ−１６を追加しない帯域要請ヘッダを前記基地局に伝送する。即ち、前記端末は図５のようにＨＡＲＱ  ＣＲＣ−１６を含まないように構成された帯域要請ヘッダを構成し、前記基地局に伝送する。
【０１０７】
この際、前記基地局は帯域要請ヘッダに含まれたＨＣＳを利用して前記帯域要請ヘッダのエラー発生可否を確認する。この際、前記基地局は帯域要請ヘッダの受信されない場合でも前記帯域要請ヘッダにエラーが発生したと認識し得る。もし、帯域要請ヘッダにエラーが発生した場合、前記基地局は前記図１のステップ１０９のように前記端末にアップリンク資源を再割り当ててもよい。この際、前記基地局は前記端末に帯域要請ヘッダに対するアップリンク資源を初期割り当てた後、１６フレームの間だけ前記帯域要請ヘッダに対する資源を再割り当てることができる。ここで、ＣＤＭＡ＿Ａｌｌｏｃａｔｉｏｎ＿ＩＥを利用して再割り当てる場合、資源を再割り当てるための前記ＣＤＭＡ＿Ａｌｌｏｃａｔｉｏｎ＿ＩＥを前記＜表２＞のように構成してもよい。
【０１０８】
上述したように、無線通信システムの基地局において、ＨＡＲＱを支援する端末とＨＡＲＱを支援しない端末を区分してレインジングのための資源を割り当てることで、ＨＡＲＱによる資源のオーバッドを最小化しながらレインジングサービスのための範囲を増大し得る利点がある。
【０１０９】
一方、本発明の詳細な説明では具体的な実施形態に関して説明したが、本発明の範囲を逸脱しない範囲内で多様な変形が可能である。従って、本発明の範囲は説明された実施形態に限って決められてはならず、後述する特許請求の範囲だけでなく、この特許請求の範囲と均等なものによって決められるべきである。
【符号の説明】
【０１１０】
３００、４００  デュプレクサ
３０２、４０２  受信部
３０４、４０４  メッセージ処理部
３０６、４０６  制御部
３０８  ＨＡＲＱ制御部
３１０，４０８  メッセージ生成部
３１２、４１０  送信部
【図１】
0005863059.tif 000008
【図２】
0005863059.tif 000009
【図３】
0005863059.tif 000010
【図４】
0005863059.tif 000011
【図５】
0005863059.tif 000012
【図６】
0005863059.tif 000013
【図７】
0005863059.tif 000014